(57)【要約】【課題】組付バラツキを抑えるとともに、組み付けの容易化を図ることができる車両用灯具を提供すること。【解決手段】光学部品５が取り付けられたヒートシンク２と、レンズとこれを保持するレンズホルダ９を備えるレンズユニット４と、ハウジング３を含んで構成される車両用灯具１において、ヒートシンク２に複数の位置決めピン６を立設し、ハウジング３とレンズユニット４の位置決めピン６に対応する箇所に位置決め孔８，１０をそれぞれ形成し、ヒートシンク２に立設された位置決めピン６にハウジング３とレンズユニット４にそれぞれ形成された位置決め孔８，１０を嵌合させてヒートシンク２の上にハウジング３を重ね、該ハウジング３の上にレンズユニット４を重ねてこれらのハウジング３とレンズユニット４をヒートシンク２に対して位置決めして組み付ける。【選択図】図１
2015159057.tif 000002
【特許請求の範囲】
【請求項１】
光学部品が取り付けられたヒートシンクと、レンズとこれを保持するレンズユニットと、シェード及びこれの駆動機構が組み付けられたハウジングを含んで構成される車両用灯具において、
前記ヒートシンクに複数の位置決めピンを立設し、前記ハウジングと前記レンズユニットの前記位置決めピンに対応する箇所に位置決め孔をそれぞれ形成し、
前記ヒートシンクに立設された前記位置決めピンに前記ハウジングと前記レンズユニットにそれぞれ形成された前記位置決め孔を嵌合させて前記ヒートシンクの上に前記ハウジングを重ね、該ハウジングの上に前記レンズユニットを重ねてこれらのハウジングとレンズユニットを前記ヒートシンクに対して位置決めして組み付けることを特徴とする車両用灯具。
【請求項２】
前記ヒートシンクの左右２箇所に前記位置決めピンをそれぞれ立設し、前記ハウジングと前記レンズユニットの前記位置決めピンに対応する左右２箇所に位置決め孔をそれぞれ形成したことを特徴とする請求項１記載の車両用灯具。
【請求項３】
前記位置決めピンを大径部の上に小径部を形成して成る段付ピンで構成したことを特徴とする請求項１又は２記載の車両用灯具。
【請求項４】
前記ヒートシンクに、前記ハウジングの組み付けをガイドする組付ガイドを立設したことを特徴とする請求項１〜３の何れかに記載の車両用灯具。
【請求項５】
前記組付ガイドの上端に、前記ハウジングの組付時に該ハウジングを受けてこれをガイドすることによって当該ハウジングと前記光学部品との干渉を防ぐための斜面状ガイド面を形成したことを特徴とする請求項４記載の車両用灯具。
【請求項６】
前記ハウジングに、前記ヒートシンクを冷却する冷却機構を組み付けたことを特徴とする請求項１〜５の何れかに記載の車両用灯具。
【発明の詳細な説明】
【技術分野】
【０００１】
本発明は、ヒートシンクとレンズユニット及びハウジングを含んで構成される車両用灯具に関するものである。
【背景技術】
【０００２】
車両用灯具には、ロービーム用配光パターンとハイビーム用配光パターンの切り替えが可能なプロジェクタ型ヘッドランプがある（例えば、特許文献１，２参照）。斯かるプロジェクタ型ヘッドランプの一例を図５及び図６に示す。
【０００３】
即ち、図５は従来のプロジェクタ型ヘッドランプの分解斜視図、図６（ａ）は同プロジェクタ型ヘッドランプのシェードユニットの正面図、図６（ｂ）は同シェードユニットの背面図であり、図５に示すのプロジェクタ型ヘッドランプ１０１は、光学ユニット１０２とシェードユニット１０３及び光源ユニット１０４を車両前後方向（図５の斜め左方が車両前方）に組み付けて構成されている。
【０００４】
上記光学ユニット１０２は、投影レンズ１０５とこれを保持するレンズホルダ１０６等を含んで構成されており、レンズホルダ１０６の背面下部の左右には位置決めピン１０７（図４には一方のみ図示）が突設されている。又、前記シェードユニット１０３は、ブラケット１０８と、該ブラケット１０８に回動軸１０９によって回動可能に支持された可動シェード１１０と、該可動シェード１１０を前記回動軸１０９を中心として回動させて配光パターンをロービーム配光パターン又はハイビーム配光パターンに切り替えるためのソレノイド１１１等を含む駆動機構を含んで構成されている（図６（ｂ）参照）。
【０００５】
前記光源ユニット１０４は、光源である不図示のＬＥＤと、該ＬＥＤから出射する光を車両前方へと反射させるリフレクタ１１２を含んで構成さえており、リフレクタ１１２の正面下部の左右には位置決めピン１１３が車両前方に向かって突設されている。
【０００６】
ところで、図６（ａ），（ｂ）に示すように、前記シェードユニット１０３のブラケット１０８の左右であって、前記光学ユニット１０２に設けられたレンズホルダ１０６の背面下部の左右に突設された前記位置決めピン１０７に対応する２箇所には円孔状の位置決め孔１１４が形成されており、これらの位置決め孔１１４の上方（前記光源ユニット１０４に設けられたリフレクタ１１２の正面下部の左右に突設された前記位置決めピン１１３に対応する２箇所）には同じく円孔状の位置決め孔１１５が形成されている。
【０００７】
而して、プロジェクタ型ヘッドランプ１０１の組み付けに際しては、シェードユニット１０３のブラケット１０８の左右２箇所に形成された一方（下方）の位置決め孔１１４に光学ユニット１０２のレンズホルダ１０６に突設された左右の位置決めピン１０７を前方から嵌め込むことによって、光学ユニット１０２をシェードユニット１０３に対して位置決めし、シェードユニット１０３のブラケット１０８の左右２箇所に形成された他方（上方）の位置決め孔１１５に光源ユニット１０４のリフレクタ１１２に突設された左右の位置決めピン１１３を後方から嵌め込むことによって、光源ユニット１０４をシェードユニット１０３に対して位置決めしていた。
【先行技術文献】
【特許文献】
【０００８】
【特許文献１】特開２０１３−１６１５８６号公報
【特許文献２】特開２０１１−１１９１８４号公報
【発明の概要】
【発明が解決しようとする課題】
【０００９】
しかしながら、図５に示す従来のプロジェクタ型ヘッドランプ１０１の組み付けにおいては、光学ユニット１０２と光源ユニット１０４の位置決め基準が互いに異なる２箇所、つまり、シェードユニット１０３のブラケット１０８の下部左右の上下に形成された位置決め孔１１４，１１５をそれぞれ基準として光学ユニット１０２と光源ユニット１０４をシェードユニット１０３に対して位置決めしていたため、光学ユニット１０２の位置決めピン１０７と光源ユニット１０４の位置決めピン１１３及びシェードユニット１０３の位置決め孔１１４，１１５の位置のバラツキによって組付バラツキが大きくなり、配光パターンの形成が困難であるとともに、組付時に複数の位置決め基準を探す作業が増えるために組付性が悪いという問題があった。
【００１０】
本発明は上記問題に鑑みてなされたもので、その目的とする処は、ハウジングとレンズユニットをヒートシンクに対して高精度に位置決めして組付バラツキを抑えるとともに、組み付けの容易化を図ることができる車両用灯具を提供することにある。
【課題を解決するための手段】
【００１１】
上記目的を達成するため、請求項１記載の発明は、光学部品が取り付けられたヒートシンクと、レンズとこれを保持するレンズユニットと、シェード及びこれの駆動機構が組み付けられたハウジングを含んで構成される車両用灯具において、
前記ヒートシンクに複数の位置決めピンを立設し、前記ハウジングと前記レンズユニットの前記位置決めピンに対応する箇所に位置決め孔をそれぞれ形成し、
前記ヒートシンクに立設された前記位置決めピンに前記ハウジングと前記レンズユニットにそれぞれ形成された前記位置決め孔を嵌合させて前記ヒートシンクの上に前記ハウジングを重ね、該ハウジングの上に前記レンズユニットを重ねてこれらのハウジングとレンズユニットを前記ヒートシンクに対して位置決めして組み付けることを特徴とする。
【００１２】
請求項２記載の発明は、請求項１記載の発明において、前記ヒートシンクの左右２箇所に前記位置決めピンをそれぞれ立設し、前記ハウジングと前記レンズユニットの前記位置決めピンに対応する左右２箇所に位置決め孔をそれぞれ形成したことを特徴とする。
【００１３】
請求項３記載の発明は、請求項１又は２記載の発明において、前記位置決めピンを大径部の上に小径部を形成して成る段付ピンで構成したことを特徴とする。
【００１４】
請求項４記載の発明は、請求項１〜３の何れかに記載の発明において、前記ヒートシンクに、前記ハウジングの組み付けをガイドする組付ガイドを立設したことを特徴とする。
【００１５】
請求項５記載の発明は、請求項４記載の発明において、
前記組付ガイドの上端に、前記ハウジングの組付時に該ハウジングを受けてこれをガイドすることによって当該ハウジングと前記光学部品との干渉を防ぐための斜面状ガイド面を形成したことを特徴とする。
【００１６】
請求項６記載の発明は、請求項１〜５の何れかに記載の発明において、前記ハウジングに、前記ヒートシンクを冷却する冷却機構を組み付けたことを特徴とする。
【発明の効果】
【００１７】
請求項１記載の発明によれば、ヒートシンクに立設された位置決めピンにハウジングとレンズユニットにそれぞれ形成された位置決め孔を嵌合させてヒートシンクの上にハウジングとレンズユニットを順次重ねてこれらをヒートシンクに対して位置決めして組み付けるようにしたため、ハウジングとレンズユニットを共通の位置決めピンによってヒートシンクに対して正確に位置決めすることができ、組付バラツキを抑えることができるともに、ヒートシンクを基準としてハウジングとレンズユニットを一方向（上方）から組み付けることができるために組付性が高められる。そして、光源等の光学部品が取り付けられてヒートシンクを基準としてハウジングとレンズユニットを組み付けるようにしたため、配光における色や形状のバラツキを抑えることができる。
【００１８】
請求項２記載の発明によれば、ヒートシンクの左右２箇所に立設された位置決めピンにハウジングとレンズユニットの左右２箇所にそれぞれ形成された位置決め孔を嵌合させてハウジングとレンズユニットをヒートシンクに対して位置決めするようにしたため、これらのハウジングとレンズユニットのヒートシンクに対する組付バラツキの抑制と組付性の容易化が一層効果的に図られる。
【００１９】
請求項３記載の発明によれば、位置決めピンを大径部の上に小径部を形成して成る段付ピンで構成したため、ハウジングとレンズユニットの誤組を防いで組付性を高めることができる。又、位置決めピンを段付形状にすることによって、金型抜き方向の位置決め隙間を小さく抑えてハウジングとレンズユニットの位置決めを安定して行うことができる。
【００２０】
請求項４記載の発明によれば、ハウジングのヒートシンクへの汲み付けに際しては、該ハウジングをヒートシンクに立設された組付ガイドに沿って組み付けることができるため、ハウジングの組付性が高められる。
【００２１】
請求項５記載の発明によれば、ハウジングをヒートシンクに組み付ける際に該ハウジングを組付ガイドの斜面状ガイド面の上をスライドさせながら組み付けることによって、該ハウジングがヒートシンクに取り付けられた精密部品である光学部品から遠ざけられて両者の干渉が防がれるため、光学部品の損傷が確実に防がれる。
【００２２】
請求項６記載の発明によれば、ハウジングに内蔵された冷却機構によってヒートシンクの放熱性能が高められる。そして、一般的には樹脂成形品であるハウジングに冷却機構を組み付けるための構造を簡単に形成することができ、低コストを実現することができる。
【図面の簡単な説明】
【００２３】
【図１】本発明に係る車両用灯具の分解斜視図である。
【図２】図１のＡ部拡大詳細図である。
【図３】本発明に係る車両用灯具の位置決めピンによる位置決め構造を示す部分断面図である。
【図４】本発明に係る車両用灯具のハウジングのヒートシンクへの組付要領を示す側面図である
【図５】従来の車両用灯具の分解斜視図である。
【図６】（ａ）は従来の車両用灯具のシェードユニットの正面図、（ｂ）は同シェードユニットの背面図である。
【発明を実施するための形態】
【００２４】
以下に本発明の実施の形態を添付図面に基づいて説明する。
【００２５】
図１は本発明に係る車両用灯具の分解斜視図、図２は図１のＡ部拡大詳細図、図３は同車両用灯具の位置決めピンによる位置決め構造を示す部分断面図、図４は同車両用灯具のハウジングのヒートシンクへの組付要領を示す側面図である。
【００２６】
本実施の形態に係る車両用灯具１は、プロジェクタ型ヘッドランプであって、図１に示すように、ヒートシンク２に対してハウジング３とレンズユニット４を上から順次重ねて組み付けることによって構成されるものである。
【００２７】
上記ヒートシンク２には、光源であるＬＥＤや基板等を含む光学部品５が取り付けられており、この光学部品５において発生する熱は、ヒートシンク５の放熱作用によって周囲に散逸され、これによって光学部品５の温度上昇が抑えられ、ＬＥＤの発光効率や耐久寿命の低下等が防がれる。このヒートシンク２は、例えば熱伝導率の高いアルミダイキャスト等によって一体成形されており、その左右に設けられた前後方向に延びる水平なアーム部２ａには、図２に詳細に示す位置決めピン６がそれぞれ垂直に立設されている。ここで、各位置決めピン６は、図２及び図３に示すように、大径部６ａの上に小径部６ｂを同心的に形成して成る段付ピンとして構成されている。
【００２８】
又、ヒートシンク２の左右には、組付ガイド７が垂直に立設されており、各組付ガイド７に上端には、斜めにカットされた斜面状のガイド面７ａがそれぞれ形成されている。
【００２９】
前記ハウジング３は、上方が開口する略矩形ボックス状の樹脂成形部品であって、その左右両側には前後方向に延びる水平なフランジ部３ａが形成されている。そして、左右の各フランジ部３ａの所定箇所（前記位置決めピン６に対応する箇所）には、前記位置決めピン６の大径部６ａが嵌合する円孔状の位置決め孔８がそれぞれ形成されている。尚、図示しないが、ハウジング３には、配光パターンを切り替えるためのシェードとこれの駆動機構、前記ヒートシンク２を冷却するための冷却ファン等の冷却機構が組み込まれている。このようにハウジング３にシェードやこれの駆動機構、冷却機構等の各種部品を組み込む構成を採用すると、樹脂製のハウジング３に各種部品を組み込むための構造を簡単に形成することができるため、低コストを実現することができる。
【００３０】
前記レンズユニット４は、不図示の投影レンズとこれを保持するレンズホルダ９によって構成されており、レンズホルダ９の円環部９Ａに不図示の投影レンズが保持されている。又、レンズホルダ９には、円環部９Ａの左右から後方に向かって水平に延びるアーム部９Ｂが一体に形成されており、各アーム部９Ｂの所定箇所（前記位置決めピン６に対応する箇所）には、前記位置決めピン６の小径部６ｂが嵌合する円孔状の位置決め孔１０がそれぞれ形成されており、これらの位置決め孔１０の径は、ハウジング３の左右のフランジ部３ａにそれぞれ形成された前記位置決め孔８の径よりも小さく設定されている。
【００３１】
而して、本実施の形態に係る車両用灯具１は、ヒートシンク２の左右に立設された位置決めピン６にハウジング３とレンズユニット４の左右ににそれぞれ形成された大小異径の位置決め孔８，１０を図３に示すように順次嵌合させてヒートシンク２の上にハウジング３を重ね、該ハウジング３の上にレンズユニット４を重ねてこれらのハウジング３とレンズユニット４をヒートシンク２に対して位置決めして組み付けることによって構成される。
【００３２】
ここで、ハウジング３のヒートシンク２に対する組付要領を図４に示すが、ハウジング３の組み付けは、該ハウジング３をヒートシンク２に立設された左右の組付ガイド７に沿ってスライドさせることによって作業性良く簡単になされる。即ち、ハウジング３をヒートシンク２の左右の組付ガイド７の上端にそれぞれ形成された斜面状のガイド面７ａ上に載置し、該ハウジング３をガイド面７ａに沿ってスライドさせれば、ハウジング３がヒートシンク２に取り付けられた精密部品である光学部品５から遠ざかり、その状態でハウジング３を組付ガイド７に沿って下げれば、ハウジング３は、光学部品５と干渉することなくヒートシンク２上の所定の位置に重ねられ、該ハウジング３に形成された左右の位置決め孔８がヒートシンク７の左右の位置決めピン６に嵌合するため、ハウジング３がヒートシンク２に正確に位置決めされて組み付けられ、光学部品５の損傷も防がれる。
【００３３】
以上のように、本実施の形態においては、ヒートシンク２に立設された位置決めピン６にハウジング３とレンズユニット４にそれぞれ形成された位置決め孔８，１０を嵌合させてヒートシンク２の上にハウジング３とレンズユニット４を順次重ねてこれらをヒートシンク２に対して位置決めして組み付けるようにしたため、ハウジング３とレンズユニット４を共通の位置決めピン６によってヒートシンク２に対して正確に位置決めすることができ、組付バラツキを抑えることができるともに、ヒートシンク２を基準としてハウジング３とレンズユニット４を一方向（上方）から組み付けることができるために組付性が高められる。そして、ＬＥＤ等の光学部品が取り付けられてヒートシンク２を基準としてハウジング３とレンズユニット４を組み付けるようにしたため、配光における色や形状のバラツキを抑えることができる。
【００３４】
又、本実施の形態では、ヒートシンク２の左右２箇所に立設された位置決めピン６にハウジング３とレンズユニット４の左右２箇所にそれぞれ形成された位置決め孔８，１０を嵌合させてハウジング３とレンズユニット４をヒートシンク２に対して位置決めするようにしたため、これらのハウジング３とレンズユニット４のヒートシンク２に対する組付バラツキの抑制と組付性の容易化が一層効果的に図られる。
【００３５】
そして、本実施の形態では、位置決めピン６を大径部６ａの上に小径部６ｂを同心状に形成して成る段付ピンで構成したため、ハウジング３とレンズユニット４の誤組を防いで組付性を高めることができる。又、位置決めピン６を段付形状にすることによって、金型抜き方向の位置決め隙間を小さく抑えてハウジング３とレンズユニット４の位置決めを安定して行うことができる。
【００３６】
又、本実施の形態では、ハウジング３のヒートシンク２への組み付けに際しては、該ハウジング３をヒートシンク２に立設された組付ガイド７に沿って組み付けることができるため、ハウジング３の組付性が高められる。そして、ハウジング３をヒートシンク２に組み付ける際に該ハウジング３を組付ガイド７の斜面状ガイド面７ａの上をスライドさせながら組み付けることによって、該ハウジング３がヒートシンク２に取り付けられた精密部品である光学部品５から遠ざけられて両者の干渉が防がれるため、光学部品５の損傷が確実に防がれる。
【００３７】
尚、以上は本発明をプロジェクタ型ヘッドランプに対して適用した形態について説明したが、本発明は、他の任意の車両用灯具に対しても同様に適用可能であることは勿論である。
【符号の説明】
【００３８】
１      車両用灯具
２      ヒートシンク
３      ハウジング
４      レンズユニット
５      光学部品
６      位置決めピン
６ａ    位置決めピンの大径部
６ｂ    位置決めピンの小径部
７      組付ガイド
７      組付ガイドのガイド面
８      位置決め孔
９      レンズホルダ
１０    位置決め孔
【図１】
2015159057.tif 000003
【図２】
2015159057.tif 000004
【図３】
2015159057.tif 000005
【図４】
2015159057.tif 000006
【図５】
2015159057.tif 000007
【図６】
2015159057.tif 000008